(57)【要約】      （修正有）【課題】パジャマにおいて起床時においては、パジャマの着用者が諸動作を行なってもズボンが抜け落ちるとなく、就寝時においてはパジャマが着用者のウエスト等の身体への締め付け固定が完全に解放されて、寝付きが良く熟睡が得られる快眠用のパジャマを提供する。【解決手段】パジャマのズボンのウエスト部に弾性伸縮体を設け、ウエスト部に切込んだ一方の側端方向に帯状体を設け、帯状体を他方の側端方向のウエスト部に重ね合わせて係止用具により、係脱自在に係止可能に設ける。【選択図】図１
0003104255.tif 000002
【実用新案登録請求の範囲】
【請求項１】
上衣とズボンとからなるパジャマにおいて、
ズボンのウエスト部に弾性伸縮体を設け、
ズボンの脇部のウエスト部から足方向に設けた切込部又は股上線方向に設けた前あき部とにおけるウエスト部の一方の側端方向に帯状体を設け、他方の側端方向の任意位置と前記帯状体とに係止用具を設け，
前記帯状体をウエスト部の他方の側端方向へ重ね合せて帯状体の係止用具と，ウエスト部の側端方向に設けた係止用具とを係脱自在に係止可能に設けてなることを特徴とする快眠用のパジャマ。
【請求項２】
弾性伸縮体が、ゴム製紐体であり切込部又は前あき部を除くウエスト部の略全周囲、又は、両脇部の略対称位置若しくはウエスト部の一部に設けてなることを特徴とする請求項１の快眠パジャマ。
【請求項３】
弾性伸縮体が、ゴムテープ紐体を略波形状に縮めて形成した伸縮自在なギャザーゴム紐体であることを特徴とする請求項１の快眠用のパジャマ。
【請求項４】
係止用具が、帯状体の裏面と、ウエスト部の他方の側端方向の任意位置とにおける任意範囲とに、立設した多数の立毛状体が係脱自在かつ係止可能に設けられてなる係脱用立毛帯であることことを特徴とする請求項１、２、３の快眠用のパジャマ。
【請求項５】
帯状体が、任意の長さと幅員を有する布製平板状紐に形成され、該帯状体の裏面全面に係脱用立毛帯が設けられてなることを特徴とする請求項４の快眠用のパジャマ。
【請求項６】
上衣とズボンとからなるパジャマにおいて、
ズボンのウエスト部にゴム製紐体又はゴムテープ紐体を略波形状に縮めて形成した伸縮自在なギャザーゴム紐体からなる弾性伸縮体を設け、
ズボンの脇部のウエスト部から足方向に設けた切込部又は股上線方向に設けた前あき部にスライドファスナーを取付け、
前記ウエスト部の切込部又は前あき部の一方の側端方向に帯状体を設け、他方の側端方向のウエスト部の任意位置と、前記帯状体の裏面と、に係脱用立毛帯又はホック乃至はボタン若しくは結束紐等からなる係止用具を設け，
前記帯状体をウエスト部の他方の側端方向へ重ね合せて帯状体に設けた係止用具と，ウエスト部の他方の側端方向に設けた係止用具とを、係脱自在に係止可能に設けてズボンのウエスト部を締め付け調節可能に形成してなることを特徴とする快眠用のパジャマ。
【請求項７】
帯状体を設けたウエスト部の一方の側端方向の任意位置に係脱用立毛帯又はホック乃至はボタン若しくは結束紐等からなる係止用具を設け，
前記帯状体の外側面の任意位置に係脱用立毛帯又はホック乃至はボタン若しくは結束紐等からなる係止用具を設け、
前記帯状体を折り返し重ね合せて該帯状体の係止用具をウエスト部の一方の側端方向に設けた係止用具へ係脱自在に係止可能に設けてなるとを特徴とする請求項１、２、３、４、５、６の快眠用のパジャマ。
【考案の詳細な説明】
【技術分野】
【０００１】
本考案は、快眠用のパジャマに関するものであり，特に、人が就寝して熟睡し快眠を得るためには、睡眠中の人体が完全にリラックスして、血液や内分泌液の各種ホルモンが全身を停滞なくスムースに循環して流通することにより、各種の臓器や脳細胞やその他の人体機能が回復し活性化されリフレッシュされることが最も重要であり、この血液や内分泌液の各種ホルモンの循環・流通を阻害する原因となっている熟睡中の人体への締め付け負荷を完全に解消可能にした快眠用のパジャマに関するものである。
【背景技術】
【０００２】
従来のパジャマにおいては、起床時に通常の生活活動を行なうための室内着として利用と、就寝時の寝着としての利用があり、通常の生活活動を行なうための室内着としての利用においては、ズボンがずり下がらないようにキッチリとウエスト部に締め付け固定されていることが要求されるが、就寝時の寝着としての利用においては、睡眠中の人体の保温と、熟睡中の無意識による寝返り等の人体の動作活動に伴う脱衣防止を主目的としたものであり、このため熟睡中に無意識による寝返り等の人体の動作活動によっても、パジャマが人体から脱衣されないように、上衣は前あき部をボタンやスライスドファスナーや結束紐等により完全に係止し、ズボンも同様に前あき部をボタンやスライスドファスナーや結束紐等により完全に係止すると共に、ウエスト部から抜け出さないようにベルトや締付用紐等により、締め付け固定するものであったが，しかし、従来のパジャマが睡眠中の人体の保温と、熟睡中の無意識による寝返り等の人体の動作活動に伴う脱衣防止には、この種のパジャマとしては実用上十分であった。
【０００３】
しかし、人間における睡眠は、自然現象として単に、眠いから就寝して眠るということのみではなく、就寝し熟睡することにより昼間起きて活動するために消費したエネルギーを補充し回復したり、各種臓器や脳細胞の機能を回復し、内分泌液や血液の成分のバランスの回復調節を図るという人体機能の回復調節に、必要不可欠な極めて重要な機能活動を果たしているものであり、この人体機能の回復調節に必要不可欠な機能活動が、完全に、かつスムースに行なわれるためには、人が就寝して熟睡中には、熟睡中の人体への締め付け負荷が完全に解消され、その結果、睡眠中の人体が、完全にリラックスした状態に保持されており、人体内の血液や内分泌液の各種ホルモンが全身を停滞なくスムースに循環して流通することが最も重要であり、また、就寝時にスムースに眠りに入るためには、腹部や腰部を締め付け圧迫されると不快感を感じて寝付が悪く、熟睡による深い睡眠による疲労の回復や、朝の目覚めの爽快感が容易に得にくくなるものであるが、しかしながら、従来のパジャマにおいては、睡眠中の人体の保温と、熟睡中の無意識による寝返り等の人体の動作活動に伴う脱衣防止を目的とし、特にズボンにおいては、ウエスト部から抜け出さないようにベルトや締付用紐等により、締め付け固定するものであるから、このために、睡眠中の人体内の血液や内分泌液の各種ホルモンの循環・流通を阻害する原因となり、熟睡による深い睡眠による疲労の回復や、朝の目覚めの爽快感が容易に得にくくなり、快眠が得られないという欠点があった。
【０００４】
この改善策として、パジャマのズボンのウエスト部に、締付用具のベルトや結束紐等に替えて、ゴム紐等をズボンのウエスト部の全周囲に予め挿通しておき、このゴム紐等の弾性伸縮性により、ズボンがウエスト部から抜け出さないようすると共に、従来のベルトや締付用紐等によるものに比較して、人体への締め付け固定を緩和することを目的とするものが提案されている。
しかしながら、ズボンのウエスト部の全周囲に予めゴム紐等を挿通しておくズボンにおいては、締付用具のベルトや結束紐等による締め付け固定に比較して人体への締め付け固定を緩和することはできたが、なお、ゴム紐等をウエスト部に挿通したものにおいては、ゴム紐等の弾性伸縮性により、人体の最も柔軟性に富み重要な機能を果たす各種の臓器が集中して内蔵されているウエスト部を締め付けるとになり、熟睡中の人体への締め付け負荷を完全には解消することはできず、このために、睡眠中の人体内の血液や内分泌液の各種ホルモンの循環・流通を阻害する原因となり、快眠が得られないという欠点があった。
【特許文献１】特開平７−１１５０２号公報
【考案の開示】
【考案が解決しようとする課題】
【０００５】
解決しようとする問題点は、従来のパジャマにおいては、睡眠中の人体の保温と、脱衣防止とを目的とする点において、ベルトや締付用紐等により、締め付け固定することにより、この種のパジャマとしては実用上十分であったが、ベルトや締付用紐等による締め付け固定が、熟睡中の人体への締め付け負荷となり、睡眠中の人体内の血液や内分泌液の各種ホルモンの循環・流通を阻害する原因となって、人の快眠を妨げの原因となるという欠点を解決するために、ゴム紐等をウエスト部に挿通したものにおいては、ゴム紐等の弾性伸縮性により、熟睡中の人体への締め付け負荷を完全には解消することはできず、このために、睡眠中の人体内の血液や内分泌液の各種ホルモンの循環・流通を阻害する原因となり、熟睡による深い睡眠による疲労の回復や、朝の目覚めの爽快感が容易に得にくくなり、快眠が得られないという点である。
【課題を解決するための手段】
【０００６】
本考案の快眠用のパジャマは、起床時に室内着として利用する場合には，パジャマのズボンがウエスト部に設けた弾性伸縮体の伸縮により、しっかりとウエストに締め付けられてズボンがウエスト部から抜け落ちる恐れがなく，さらにウエスト部の切込部又は前あき部の一方の側端方向には帯状体が設けられ、該帯状体と他方の側端方向のウエスト部とには係止用具が設けられているから、帯状体を他方の側端方向のウエスト部に重ね合わせて係止用具を用いて係脱自在に係止することにより、帯状体によってズボンをウエスト部へ、より一層しっかりと締め付け固定することが可能となり、
就寝時には帯状体の係止用具を、他方の側端方向の係止用具から取外すことによりズボンのウエスト部への締め付けを十分に緩めて解放可能となり、さらに帯状体を設けたウエスト部の切込部又は前あき部の上方を開放することによりウエスト部の締め付けが完全に解放可能となるように形成したことを特徴とするものである。
【０００７】
本考案の快眠用のパジャマは、上衣とズボンとからなるパジャマにおいて、ズボンのウエスト部に弾性伸縮体を設け、ズボンの脇部のウエスト部から足方向に設けた切込部又は股上線方向に設けた前あき部とにおけるウエスト部の一方の側端方向に帯状体を設け、他方の側端方向の任意位置と前記帯状体とに係止用具を設け，前記帯状体をウエスト部の他方の側端方向へ重ね合せて帯状体の係止用具と，ウエスト部の側端方向に設けた係止用具とを係脱自在に係止可能に設けてなることを特徴とするものである。
【０００８】
さらに、本考案の快眠用のパジャマは、弾性伸縮体が、ゴム製紐体であり切込部又は前あき部を除くウエスト部の略全周囲、又は、両脇部の略対称位置若しくはウエスト部の一部に設けてなることを特徴とするものである。
【０００９】
また、本考案は、弾性伸縮体が、ゴムテープ紐体を略波形状に縮めて形成した伸縮自在なギャザーゴム紐体であり、ウエスト部の両脇部の略対称位置、或いは、その他の任意の一部に設けてなることを特徴とするものである。
【００１０】
本考案は、係止用具が、帯状体の裏面と、ウエスト部の他方の側端方向の任意位置とにおける任意範囲とに、立設した多数の立毛状体が係脱自在かつ係止可能に設けられてなる係脱用立毛帯であることことを特徴とするものである。
【００１１】
本考案は、帯状体が、任意の長さと幅員を有する布製平板状紐に形成され、該帯状体の裏面全面に係脱用立毛帯が設けられてなることを特徴とするものである。
【００１２】
本考案は、上衣とズボンとからなるパジャマにおいて、ズボンのウエスト部にゴム製紐体又はゴムテープ紐体を略波形状に縮めて形成した伸縮自在なギャザーゴム紐体からなる弾性伸縮体を設け、ズボンの脇部のウエスト部から足方向に設けた切込部又は股上線方向に設けた前あき部に、スライドファスナーを取付け、前記ウエスト部の切込部又は前あき部の一方の側端方向に帯状体を設け、他方の側端方向のウエスト部の任意位置と、前記帯状体の裏面とに、係脱用立毛帯又はホック乃至はボタン若しくは結束紐等からなる係止用具を設け，前記帯状体をウエスト部の他方の側端方向へ重ね合せて帯状体に設けた係止用具と，ウエスト部の他方の側端方向に設けた係止用具とを、係脱自在に係止可能に設けてズボンのウエスト部を締め付け調節可能に形成してなることを特徴とするものである。
【００１３】
本考案は、帯状体を設けたウエスト部の一方の側端方向の任意位置に、係脱用立毛帯又はホック乃至はボタン若しくは結束紐等からなる係止用具を設け，前記帯状体の外側面の任意位置に、係脱用立毛帯又はホック乃至はボタン若しくは結束紐等からなる係止用具を設け、前記帯状体を折り返し重ね合せて、該帯状体を設けたウエスト部の一方の側端方向へ、係脱自在に係止可能に設けてなるとを特徴とするものである。
【考案の効果】
【００１４】
本考案の快眠用のパジャマは、上衣とズボンとからなるパジャマにおいて、ズボンのウエスト部に弾性伸縮体を設けたから、起床時に室内着として本考案のパジャマを着用した場合に、着用したズボンのウエスト部が、弾性伸縮体の伸縮効果により、着用者のウエストにしっかりと締め付け固定されるから、着用者が歩き廻ったり、激しい動作を行なっても、ズボンがウエスト部から抜け落ちる恐れがなく、しかも、さらに、ズボンのウエスト部が弾性伸縮体により伸縮されるので、ズボンのウエスト部のサイズが着用者のウエストと不一致の場合にも，自由にウエスト部のサイズが調節されるから、相当範囲の着用者のウエストのサイズに対応してパジャマのズボンとして着用できるという効果がある。
さらに、ウエスト部に設けた切込部又は前あき部には、ウエスト部の一方の側端方向に係止用具を設けた帯状体を設け，他方の側端方向のウエスト部の任意位置には係止用具を設けて、帯状体の係止用具を、他方の側端方向ののウエスト部の係止用具に係脱自在に係止可能に設けてなるものであるから，帯状体を他方の側端方向のウエスト部方向へ強く引っ張って重ね合わせて、両者の係止用具を係脱自在に係止れば、ズボンのウエスト部の口径を一層縮径することができるから、ズボンのウエスト部を着用者のウエストに強固に締め付け固定でき、起床時に着用したパジャマのズボンが、抜け落ちるという恐れが全くなく、着用者のウエストのサイズの大小に対応して、サイズを調節してパジャマのズボンが、着用可能となるという効果がある。
【００１５】
本考案の快眠用のパジャマは、上衣とズボンとからなるパジャマにおいて、ズボンのウエスト部に弾性伸縮体を設け、ズボンの脇部のウエスト部から足方向に設けた切込部又は股上線方向に設けた前あき部のウエスト部の一方の側端方向に帯状体を設け、他方の側端方向の任意位置と前記帯状体とに係止用具を設け、前記帯状体をウエスト部の他方の側端方向へ重ね合わせて帯状体の係止用具と、ウエスト部の他方の側端方向に設けた係止用具とを、係脱自在に係止可能に設けてなるものであるから、就寝時においては、帯状体をウエスト部の他方の側端方向に重ね合わせて、係止用具により係止して、ウエスト部を締め付けた帯状体の係止用具と、ウエスト部の他方の側端方向に設けた係止用具との係止を、取外し、ズボンのウエスト部による着用者のウエストへの締め付けを緩めて、解放することにより、腹部や腰部を締め付け圧迫される不快感を完全に解消されるから、寝付きが良くなり、熟睡による深い睡眠によるによる疲労の回復を図り、朝の目覚めの心地よい爽快感が得られると共に，人体内の血液や内分泌液の各種ホルモンが全身を停滞なく、スムースに循環されるという効果がある。
さらに、帯状体を、ウエスト部の他方の側端方向へ重ね合わせて、係止用具による係脱自在な係止の取外しによっても、ズボンのウエスト部による着用者のウエストへの締め付けの解放が十分でない場合には、ズボンのウエスト部に設けた脇部の切込部、又は、股上線方向の前あき部を開らくことにより、ズボンのウエスト部による着用者のウエストへの締め付けを、完全に解放することができるという効果がある。
【００１６】
ズボンのウエスト部に設けた弾性伸縮体が、ゴム製紐体であり、切込部又は前あき部を除くウエスト部の略全周囲、又は、両脇部の略対称位置、若しくは、ウエスト部の一部に設けられているから、切込部又は前あき部を開らくことにより、ズボンのウエスト部を十分に大きく開くことができ、ズボンの着脱が容易となり、また、ズボンを着用した場合には、ウエスト部が着用者のウエストにゴム製紐体により、しっかりと締め付けられているから、起床時においては歩行や激しい動作によっても、ウエストから抜け落ちる恐れがなく、しかもその締め付けもゴム製紐体の弾性により柔軟な締め付けが得られると共に、ズボンのウエスト部のサイズもゴム製紐体の弾性伸縮体により相当範囲で調節できるという効果がある。
【００１７】
弾性伸縮体が、ゴムテープ紐体を略波形状に縮めて形成した伸縮自在なギャザーゴム紐体であるから、ズボンのウエスト部が着用者のウエストに直接に接触しても、全く違和感なく良好な感触が得られるという効果がある。
【００１８】
係止用具が、帯状体の裏面と、ウエスト部の他方の側端方向の任意位置と任意範囲とに、立設した多数の立毛状体が係脱自在かつ係止可能に設けてなる係脱用立毛帯（マジックテープ・商標名）であるから、帯状体によるズボンのウエスト部の締め付け固定が、単に帯状体の係脱用立毛帯を、ウエスト部の他方の側端方向の係脱用立毛帯に押え付けるのみで可能となり，しかも、帯状体をウエスト部の他方の側端方向への押え付けて係脱用立毛帯による係止する位置を変えて調節するのみで、ウエスト部の締め付け固定の位置や強度を調節することができ、就寝時においては、ウエスト部に重ね合わせて係止した帯状体を取外すのみで、着用者のウエストへの締め付け固定を、ワンタッチで解放できるという効果がある。
【００１９】
帯状体が、任意の長さと幅員を有する布製平板状紐に形成し、該帯状体の裏面全面に係脱用立毛帯が設けられているから、帯状体が布製で柔軟であるから帯状体が違和感を与えることがなく、係脱用立毛帯が、帯状体の裏面全面に設けられているから，ウエスト部の側端方向の係脱用立毛帯へ帯状体の任意位置を押え付けることにより、帯状体によるウエスト部の締め付け固定が可能となり，帯状体のウエスト部の側端方向の係脱用立毛帯への取付け位置を任意に調節することにより、ウエスト部の締め付け固定の強度を自由に調節することができ、就寝時には、ウエスト部に重ね合わせて係脱用立毛帯により係止した帯状体を取外すのみで、ズボンのウエスト部による着用者のウエストへの締め付け固定を、解放することができるという効果がある。
【００２０】
ズボンのウエスト部に設けた切込部又は前あき部とにスライドファスナーを取付けたから、切込部又は前あき部の開閉が、スライドファスナーの操作のみで容易に行なうことができ、帯状体とウエスト部の側端方向とが係脱自在に係止する係止用具が、係脱用立毛帯又はホック乃至はボタン若しくは結束紐であるから、必要に応じて係止用具を選択して用いることができ、さらに、帯状体のウエスト部への係止の取外しのみによっては、ズボンのウエスト部による着用者のウエストへの締め付け固定の解放が十分でない場合には、切込部又は前あき部に設けたスライドファスナーを引き下げることにより、ズボンのウエスト部による締め付け固定を、完全に解放することができるという効果がある。
【００２１】
帯状体を設けたウエスト部の一方の側端方向の任意位置に係止用具を設け，帯状体の外側面の任意位置に係止用具を設け、帯状体を折り返し重ね合せて帯状体を設けたウエスト部の側端方向へ、係脱自在に係止可能に設けたから、就寝時にウエスト部を締め付けた帯状体を、係止用具により係止した他方の側端方向から取外して、ウエスト部を締め付けを解放した後、取外した帯状体の先端方向を折り返して、帯状体を設けたウエスト部の一方の側端方向と同一方向に重ね合せて、係止用具により係脱自在に係止しておけば、帯状体の先端方向が、ぶらぶらと移動せずにウエスト部へ係止しでき、違和感を全く与えることがないという効果がある。
【考案を実施するための最良の形態】
【００２２】
本考案の快眠用のパジャマは，起床時にいては室内着として着用者が、歩行したり相当激しい動作を行なった場合にも、ズボンが着用者のウエストから抜け落ちることがなく、しっかりと締め付け固定されるという目的と、就寝時においては、着用者のウエストを全く締め付け固定されることがなく、完全に解放された状態で着用されるという目的との２つ目的を同時に満足せしめるために、ズボンのウエスト部に、切込部又は前あき部を除いて、ゴム製紐体又はゴムテープ紐体を縮めて形成したギャザーゴム紐体からなる弾性伸縮体を設け、切込部又は前あき部の一方の側端方向のウエスト部に帯状体を設け、該帯状体に、係脱用立毛帯又はホック乃至はボタン若しくは結束紐等からなる係止用具を設け，前記帯状体をウエスト部の他方の側端方向へ重ね合せて、帯状体に設けた係止用具と，他方の側端方向のウエスト部の任意位置に、係脱用立毛帯又はホック乃至はボタン若しくは結束紐等からなる係止用具を設けて、該係止用具により帯状体をウエスト部の他方の側端方向に重ね合わせて、係脱自在に係止可能に設けることにより実現した。
【実施例１】
【００２３】
図１乃至図６は、本考案の快眠用のパジャマの実施例を示すもので，図１は、本考案の正面図、図２はズボンの正面図であり、図３乃至は図６は、図２の要部の拡大図である。
図中において符号の１は、パジャマ、２は上衣、３はズボン、４はウエスト部、５は脇部、６は切込部、７は股上線、８は前あき部、９はスライドファスナー、１０はウエスト部の側端、１１はウエスト部の側端、１２は帯状体，１３は弾性伸縮体、１４は係止用具、１５は係脱用立毛帯、１６はホック、１７はボタン、１８は結束紐、１９はゴム製紐体、２０はギャザーゴム紐体である。
【００２４】
本考案のパジャマ１の上衣２及びズボン３は、就寝中の発汗の吸湿性と保温性の両面から、綿製品が好ましく冬季においては、メリヤス生地を用いることが好ましいが、材質に関しては綿製品に限定することなく、あらゆる材質の繊維製品が利用できる。
上衣２は、一般にパジャマとして用いられているものであれば、特に限定されるものではなく、着脱の容易性と着用時のリラックス性から、前あきの合わせ型で結束紐１８で係止可能に設けてなるものが好適である。
【００２５】
ズボン３は、両脇部５の一部、又は、一方の脇部５の一部を、ズボン３のウエスト部４から足方向に縦方向に任意の長さに切込んだ切込部６、又は、ズボン３の股上線７の一部からウエスト部４まで、切込んだ前あき部８が形成され，該切込部６と該前あき部８には、各々スラドファスナー９が取付けられ，該スラドファスナー９の操作により、切込部６又は前あき部８は、開閉自在に形成され，ズボン３には、必要に応じて脇部５の切込部６か、股上線７の前あき部８のいずれかを採用して、ズボン３を着脱する際にウエスト部４をスラドファスナー９の操作により、開閉するものであり、就寝時において、帯状体１２のウエスト部４への、重ね合わせて係止した締め付け固定を取外して解放しても、ズボン３のウエスト部４による締め付け固定の解放が十分ではない場合には、切込部６又は前あき部８のスラドファスナー９の引き下げの操作により、ウエスト部４の切込部６又は前あき部８を開放して、ズボン３のウエスト部４による締め付け固定を完全に解放するものである。
【００２６】
ズボン３のウエスト部４には、切込部６又は前あき部８の部分を除く全周囲、又は、ウエスト部４の両脇部５の略対称位置、若しくは、ウエスト部４の任意の一部分に弾性伸縮体１３であるゴム製紐体１９、又は、ギャザーゴム紐体２０が設けられている。
このように、ウエスト部４に弾性伸縮体１３のゴム製紐体１９、又は、ギャザーゴム紐体２０を設けたものであるから、その伸縮性により着用者のウエストを、ズボン３のウエスト部４が伸縮自在に、かつ、柔軟にしっかりと締め付けることができるから、起床時に室内着として着用したまま歩行したリ、相当激しい動作わ行なってもズボン３が抜け落ちる恐れはない。
【００２７】
ズボン３のウエスト部４を切込んで設けた切込部６又は前あき部８のウエスト部４の一方の側端１０方向には、長さ約７ｃｍ乃至約１５ｃｍ程度で、幅員約２ｃｍ乃至約５ｃｍ程度の布製の平板状紐の柔軟性を有する帯状体１２が、ウエスト部４方向に向かってその端部方向を一体に取付けられている。
帯状体１２の表裏両面には、全面又は適宜の範囲に多数の立毛状体が立してなる係脱用立毛帯１５（マジックトテープ・商標名）の係止用具１４が設けられている。
【００２８】
ウエスト部４の切込部６又は前あき部８のウエスト部４の他方の側端１１方向には、帯状体１２が重ね合わされる範囲内において、任意位置と任意範囲に多数の立毛状体が立してなる係脱用立毛帯１５の係止用具１４が設けられている。
前記帯状体１２を、ウエスト部４と同一方向へ強く引っ張りながら、帯状体１２をウエスト部４へ重ね合わせて押え付けることにより、帯状体１２の係脱用立毛帯１５とウエスト部４に設けられた係脱用立毛帯１５とが、しっかりと係脱自在に係止され、帯状体１２の操作によりズボン３のウエスト部４が、着用者のウエストにしっかりと締め付け固定されるから、起床時に室内着として着用したまま歩行したリ、相当激しい動作わ行なってもズボン３が抜け落ちる恐れはなく、
就寝時には、ウエスト部４へ重ね合わせて係止した帯状体１２を取外せば，ウエスト部４の締め付け固定が解放されて、着用者のウエストへの締め付けは、完全に解放されるものである。
【００２９】
帯状体１２とウエスト部４とに設けた係止用具１４は、係脱用立毛帯１５に代えて、ホック１６、ボタン１７、又は結束紐１８が必要に応じて選択して用いられる。
【００３０】
帯状体１２を取付けてなる一方の側端１０方向のウエスト部４には、帯状体１２の長さと略同一の長さの範囲内において、任意位置と任意範囲に、係脱用立毛帯１５の係止用具１４が設けられており、就寝時には、ウエスト部４へ重ね合わせて係止した帯状体１２を取外したのち、帯状体１２を折り返して、帯状体１２を取付けた一方の側端１０方向のウエスト部４に重ね合わせて、係脱用立毛帯１５により係脱自在に、係止しておくものである。
このように、就寝時には、ウエスト部４を締め付け固定した帯状体１２を取外し、ウエスト部４を締め付け固定を解除した後，該帯状体１２を折り返して、帯状体１２を取付けた側端１０方向と同一方向のウエスト部４に重ね合わせて、係止しておけば、帯状体１２がぶらぶらと移動することもなく、就寝時に寝返りを打つ等により身体を移動した場合にも、帯状体１２が支障にならず違和感も与えないという効果がある。
【００３１】
帯状体１２の表面と、ウエスト部４の側端１０方向と同一方向のウエスト部４とに設けた係脱用立毛帯１５に代えて、ホック１６、ボタン１７、又は結束紐１８の係止用具１４がは必要に応じて選択して用いられる。
【産業上の利用可能性】
【００３２】
本考案の快眠用のパジャマは、ズボンのウエスト部に弾性伸縮体を設けたから、起床時に室内着として着用した場合に、弾性伸縮体の伸縮効果により、着用者のウエストにしっかりと締め付け固定され、ズボンが抜け落ちる恐れがなく、就寝時においては、帯状体より、ウエスト部を締め付けた帯状体の係止を取外し、着用者のウエストへの締め付けを解放することにより、腹部や腰部を締め付け圧迫される不快感を完全に解消し、寝付きが良く、熟睡による深い睡眠によるによる疲労の回復を図り、朝の目覚めの心地よい爽快感が得られると共に，人体内の血液や内分泌液の各種ホルモンが全身を停滞なく、スムースに循環されるものであるら、通常の健常者が家庭内の快眠用のパジャマとしての利用ばかりでなく、病院や介護施設等における患者や被介護者用のパジャマとして広く利用できるものである。
【図面の簡単な説明】
【００３３】
【図１】本考案の快眠用のパジャマの実施例を示す正面図である。
【図２】本考案のズボンの正面図である。
【図３】本考案のズボンの要部の拡大図である。
【図４】本考案のズボンの要部の拡大図である。
【図５】本考案のズボンの要部の拡大図である。
【図６】本考案のズボンの要部の拡大図である。
【符号の説明】
【００３４】
１    パジャマ
２    上衣
３    ズボン
４    ウエスト部
５    脇部
６    切込部
７    股上線
８    前あき部
９    スラドファスナー
１０    ウエスト部の側端
１１    ウエスト部の側端
１２    帯状体
１３    弾性伸縮体
１４    係止用具
１５    係脱用立毛帯
１６    ホック
１７    ボタン
１８    結束紐
１９    ゴム製紐体
２０    ギャザーゴム紐体
【図１】
0003104255.tif 000003
【図２】
0003104255.tif 000004
【図３】
0003104255.tif 000005
【図４】
0003104255.tif 000006
【図５】
0003104255.tif 000007
【図６】
0003104255.tif 000008
【手続補正書】
【提出日】平成16年3月29日(2004.3.29)
【手続補正１】
【補正対象書類名】実用新案登録請求の範囲
【補正対象項目名】請求項２
【補正方法】変更
【補正の内容】
【請求項２】
弾性伸縮体が、ゴム製紐体であり切込部又は前あき部を除くウエスト部の略全周囲、又は、両脇部の略対称位置若しくはウエスト部の一部に設けてなることを特徴とする請求項１の快眠用のパジャマ。